(57)【要約】      （修正有）【課題】マルチセンサの太陽光収集システム向けに有効なシステムを提供する。【解決手段】マルチセンサの太陽光収集システムを制御するための方法は、別々のスペクトル反応特性を有する太陽電池の複数の別々の組を設けるステップを含む。この方法は、少なくとも１つの集束要素を用いて、現在の光の状態に従って光ビームを太陽電池の第１の組の上に合焦するステップも含む。さらに、この方法は、少なくとも１つの集束要素を用いて、現在の光の状態の変化に従って光ビームを太陽電池の第２の組の上に合焦するステップを含む。他の実施形態では、この方法は、現在の光の状態の変化に従って、太陽電池が実装されている平面状の取付け台を移動させて、光ビームを太陽電池の第２の組の上に合焦するステップを含む。【選択図】図１
2013080928.tif 000002
【特許請求の範囲】
【請求項１】
マルチセンサの太陽光収集システム（１００、４００）を制御する方法であって、
太陽電池の複数の別々の組（１３０ａ〜１３０ｉ、４３０ａ〜４３０ｉ）を設けるステップと、
少なくとも１つの集束要素（１１０、４１０）を用いて、現在の光の状態に従って光ビーム（１２０）を前記太陽電池の第１の組の上に合焦するステップと、
前記少なくとも１つの集束要素（１１０、４１０）を用いて、前記現在の光の状態の変化に従って前記光ビーム（１２０）を前記太陽電池の第２の組の上に合焦するステップと
を含む方法。
【請求項２】
前記光ビーム（１２０）を求めて、太陽追跡装置（１８０、４８０）を用いて光源（１７０）追跡するステップをさらに含む、請求項１に記載の方法。
【請求項３】
前記太陽追跡装置（１８０、４８０）が、前記少なくとも１つの集束要素（１１０、４１０）と前記太陽電池の複数の別々の組（１３０ａ〜１３０ｉ、４３０ａ〜４３０ｉ）とを収容する容器（１９０、４９０）の運動を制御することができる、請求項２に記載の方法。
【請求項４】
前記少なくとも１つの集束要素（１１０、４１０）を用いる前記合焦は、前記太陽追跡装置（１８０、４８０）が前記容器（１９０、４９０）を適宜移動させることによって実現される請求項３に記載の方法。
【請求項５】
前記太陽電池の別々の組（１３０ａ〜１３０ｉ、４３０ａ〜４３０ｉ）が、別々のスペクトル反応特性を有する請求項１ないし４のいずれか一項に記載の方法。
【請求項６】
前記スペクトル反応特性が、別々の相対比における、紫外線（ＵＶ）および青色光の吸収性、可視光の吸収性、ならびに赤外線（ＩＲ）光子の吸収性のうち少なくとも１つである、請求項５に記載の方法。
【請求項７】
前記太陽電池の組（１３０ａ〜１３０ｉ、４３０ａ〜４３０ｉ）が、互いに隣接して配置される、請求項１ないし６のいずれか一項に記載の方法。
【請求項８】
前記太陽電池の組（１３０ａ〜１３０ｉ、４３０ａ〜４３０ｉ）が、配列構成で配置される、請求項１ないし６のいずれか一項に記載の方法。
【請求項９】
前記太陽電池の組（１３０ａ〜１３０ｉ、４３０ａ〜４３０ｉ）が、マトリクス構成で配置される、請求項１ないし６のいずれか一項に記載の方法。
【請求項１０】
太陽電池の複数の別々の組（１３０ａ〜１３０ｉ、４３０ａ〜４３０ｉ）と、
少なくとも１つの集束要素（１１０、４１０）とを備えるマルチセンサの太陽光収集システム（１００、４００）であって、
前記少なくとも１つの集束要素（１１０、４１０）が、現在の光の状態に従って光ビーム（１２０）を前記太陽電池の第１の組の上に合焦し、前記現在の光の状態の変化に従って前記光ビーム（１２０）を前記太陽電池の第２の組の上に合焦するように構成されるマルチセンサの太陽光収集システム（１００、４００）。
【発明の詳細な説明】
【技術分野】
【０００１】
本開示は太陽光収集システムに関する。具体的には、本開示はマルチセンサの太陽光収集システムに関する。
【背景技術】
【０００２】
多接合太陽電池は、多接合太陽電池の個々の接合のすべてによって生成される電流のバランスを必要とする。各接合によって生成される電流は、光の入力スペクトルに左右される。この光は、時間毎、日毎、および月毎に変化する。スペクトルにおけるこれらの変化により、光を電気エネルギーに変換することができる太陽電池を１つのタイプしか持たないシステムは、最適の効率を下回って動作する傾向がある。これらの問題および他の問題に応じて、マルチセンサの太陽光収集システムおよび同システムの制御方法が提供される。
【発明の概要】
【課題を解決するための手段】
【０００３】
本開示は、マルチセンサの太陽光収集システムのための方法、システム、および装置に関する。１つまたは複数の実施形態では、本開示は、太陽電池の複数の別々の組を設けることを含めて、マルチセンサの太陽光収集システムを制御する方法を教示する。この方法は、少なくとも１つの集束要素を用いて、現在の光の状態に従って光ビームを太陽電池の第１の組の上に合焦するステップをさらに含む。さらに、この方法は、少なくとも１つの集束要素を用いて、現在の光の状態の変化に従って光ビームを太陽電池の第２の組の上に合焦するステップを含む。
【０００４】
少なくとも１つの実施形態では、この方法は、光ビームを求めて、太陽追跡装置で光源を追跡するステップをさらに含む。１つまたは複数の実施形態では、太陽追跡装置は、少なくとも１つの集束要素と太陽電池の複数の別々の組とを収容する容器の運動を制御することができる。いくつかの実施形態では、少なくとも１つの集束要素を用いる合焦は、太陽追跡装置が容器を適宜移動させることによって実現される。
【０００５】
少なくとも１つの実施形態では、太陽電池の別々の組が、別々のスペクトル反応特性を有する。いくつかの実施形態では、スペクトル反応特性は、多様な相対的吸収比の、紫外線（ＵＶ）および青色光の吸収性、可視光の吸収性、ならびに赤外線（ＩＲ）光子の吸収性のうち少なくとも１つである。１つまたは複数の実施形態では、太陽電池は、互いに隣接して配置される。少なくとも１つの実施形態では、太陽電池は、配列構成で配置される。いくつかの実施形態では、太陽電池は、マトリクス構成で配置される。１つまたは複数の実施形態では、太陽電池は、平面状の取付け台上に実装される。いくつかの実施形態では、少なくとも１つの集束要素はレンズである。
【０００６】
１つまたは複数の実施形態では、マルチセンサの太陽光収集システムを制御する方法は、平面状の取付け台上に実装された太陽電池の複数の別々の組を設けるステップを含む。この方法は、少なくとも１つの集束要素を用いて、現在の光の状態に従って光ビームを太陽電池の第１の組の上に合焦するステップも含む。さらに、この方法は、現在の光の状態の変化に従って平面状の取付け台を移動させて、光ビームを太陽電池の第２の組の上に合焦するステップを含む。いくつかの実施形態では、この方法は、光ビームを求めて、太陽追跡装置で光源を追跡するステップをさらに含む。太陽追跡装置は、少なくとも１つの集束要素と平面状の取付け台上に実装された太陽電池の複数の別々の組を収容する容器の運動を制御することができる。
【０００７】
少なくとも１つの実施形態では、平面状の取付け台上の太陽電池の別々の組が、別々のスペクトル反応特性を有する。いくつかの実施形態では、スペクトル反応特性は、多様な相対的吸収比の、紫外線（ＵＶ）および青色光の吸収性、可視光の吸収性、ならびに赤外線（ＩＲ）光子の吸収性のうち少なくとも１つである。１つまたは複数の実施形態では、太陽電池は、平面状の取付け台上に互いに隣接して配置される。少なくとも１つの実施形態では、太陽電池は、平面状の取付け台上に配列構成で配置される。いくつかの実施形態では、太陽電池は、平面状の取付け台上にマトリクス構成で配置される。１つまたは複数の実施形態では、少なくとも１つの集束要素はレンズである。
【０００８】
１つまたは複数の実施形態では、マルチセンサの太陽光収集システムは、太陽電池の複数の別々の組および少なくとも１つの集束要素を含む。少なくとも１つの集束要素は、現在の光の状態に従って光ビームを太陽電池の第１の組の上に合焦し、現在の光の状態の変化に従って光ビームを太陽電池の第２の組の上に合焦するように構成される。少なくとも１つの実施形態では、このシステムは、光ビームを求めて光源を追跡するように構成された太陽追跡装置をさらに含む。
【０００９】
少なくとも１つの実施形態では、マルチセンサの太陽光収集システムは、太陽電池の複数の別々の組、少なくとも１つの集束要素、および平面状の取付け台を含む。少なくとも１つの集束要素は、現在の光の状態に従って光ビームを太陽電池の第１の組の上に合焦するように構成される。太陽電池は、平面状の取付け台上に実装される。また、平面状の取付け台は、現在の光の状態の変化に従って移動して、光ビームを太陽電池の第２の組の上に合焦するように構成される。
【００１０】
本開示の一態様は、マルチセンサの太陽光収集システムを制御する方法に関する。この方法は、太陽電池の複数の別々の組を設けるステップと、少なくとも１つの集束要素を用いて、現在の光の状態に従って光ビームを太陽電池の第１の組の上に合焦するステップと、少なくとも１つの集束要素を用いて、現在の光の状態の変化に従って光ビームを太陽電池の第２の組の上に合焦するステップとを含む。
【００１１】
一例では、この方法は、光ビームを求めて、太陽追跡装置で光源を追跡するステップも含む。
【００１２】
一変形形態では、太陽追跡装置は、少なくとも１つの集束要素と太陽電池の複数の別々の組とを収容する容器の運動を制御することができる。
【００１３】
一例では、少なくとも１つの集束要素を用いる合焦は、太陽追跡装置が容器を適宜移動させることによって実現される。
【００１４】
別の実例では、太陽電池の別々の組が、別々のスペクトル反応特性を有する。
【００１５】
別の変形形態では、スペクトル反応特性は、異なった相対比の、紫外線（ＵＶ）および青色光の吸収性、可視光の吸収性、ならびに赤外線（ＩＲ）光子の吸収性のうち少なくとも１つである。
【００１６】
別の例では、太陽電池は、互いに隣接して配置される。
【００１７】
さらに別の実例では、太陽電池は、配列構成で配置される。
【００１８】
さらに別の変形形態では、太陽電池は、マトリクス構成で配置される。
【００１９】
さらに別の例では、太陽電池は、平面状の取付け台上に実装される。
【００２０】
さらに別の実例では、少なくとも１つの集束要素はレンズである。
【００２１】
本開示の別の態様は、マルチセンサの太陽光収集システムを制御する方法に関する。この方法は、平面状の取付け台上に実装された太陽電池の複数の別々の組を設けるステップと、少なくとも１つの集束要素を用いて、現在の光の状態に従って光ビームを太陽電池の第１の組の上に合焦するステップと、平面状の取付け台を、現在の光の状態の変化に従って移動させて、光ビームを太陽電池の第２の組の上に合焦するステップとを含む。
【００２２】
一例では、この方法は、光ビームを求めて、太陽追跡装置で光源を追跡するステップも含む。
【００２３】
一変形形態では、太陽追跡装置は、少なくとも１つの集束要素と平面状の取付け台上に実装された太陽電池の複数の別々の組とを収容する容器の運動を制御することができる。
【００２４】
一例では、太陽電池の別々の組が、別々のスペクトル反応特性を有する。
【００２５】
別の実例では、スペクトル反応特性は、異なった相対比の、紫外線（ＵＶ）および青色光の吸収性、可視光の吸収性、ならびに赤外線（ＩＲ）光子の吸収性のうち少なくとも１つである。
【００２６】
別の変形形態では、太陽電池は、平面状の取付け台上に互いに隣接して配置される。
【００２７】
別の例では、太陽電池は、平面状の取付け台上に配列構成で配置される。
【００２８】
さらに別の実例では、太陽電池は、平面状の取付け台上にマトリクス構成で配置される。
【００２９】
さらに別の変形形態では、少なくとも１つの集束要素はレンズである。
【００３０】
本開示のさらに別の態様は、マルチセンサの太陽光収集システムを制御する方法に関するものであり、このシステムは、太陽電池の複数の別々の組と、現在の光の状態に従って光ビームを太陽電池の第１の組の上に合焦し、現在の光の状態の変化に従って光ビームを太陽電池の第２の組の上に合焦するように構成された少なくとも１つの集束要素とを含む。
【００３１】
本開示のさらに別の態様は、マルチセンサの太陽光収集システムに関するものであり、このシステムは、太陽電池の複数の別々の組と、現在の光の状態に従って光ビームを太陽電池の第１の組の上に合焦するように構成された少なくとも１つの集束要素と、現在の光の状態の変化に従って移動して、光ビームを太陽電池の第２の組の上に合焦するように構成された平面状の取付け台とを含む。太陽電池は、平面状の取付け台上に実装される。
【００３２】
本明細書では、実例、変形形態、および例という用語は同義的に用いられる。特徴、機能、および利点は、本発明の多様な実施形態において独立して実現することができ、あるいは、さらに他の実施形態と組み合わせられてもよい。
【００３３】
本開示のこれらおよび他の特徴、態様、および利点が、以下の説明、添付の特許請求の範囲、および添付図面に関して、よりよく理解されるであろう。
【図面の簡単な説明】
【００３４】
【図１】本開示の少なくとも１つの実施形態による、光ビームを１組の太陽電池上に合焦するのに使用される集束要素を有するマルチセンサの太陽光収集システムの概略図である。この構成では、センサ（すなわち太陽電池）および１つまたは複数の収集レンズは、太陽電池上の異なる位置への焦点の移動を実現するために一斉に傾斜される。
【図２】本開示の少なくとも１つの実施形態による、光ビームを太陽電池の別の組の上に合焦するように容器がジンバルで動かされる図１のマルチセンサの太陽光収集システムの概略図である。
【図３】本開示の少なくとも１つの実施形態による、図１および図２のマルチセンサの太陽光収集システムを制御する方法の流れ図である。
【図４】本開示の少なくとも１つの実施形態による、平面状の可動取付け台上に実装された太陽電池の別々の組を有するマルチセンサの太陽光収集システムの概略図である。
【図５】本開示の少なくとも１つの実施形態による、光ビームを太陽電池の別の組の上に合焦するように平面状の取付け台が移動される図４のマルチセンサの太陽光収集システムの概略図である。この構成では、照光される太陽電池の組を変更するために、平面状の取付け台が、１つまたは複数のレンズおよび合焦ポイントに対して移動される。
【図６】本開示の少なくとも１つの実施形態による、図４および図５のマルチセンサの太陽光収集システムを制御する方法の流れ図である。
【発明を実施するための形態】
【００３５】
本明細書で開示される方法および装置は、マルチセンサの太陽光収集システム向けに有効なシステムを提供する。具体的には、このシステムは、存在する光のスペクトルに基づいて太陽光の収集効率を最適化することを可能にする、それぞれがわずかに異なった設計の特別に設計された太陽電池の複数の組を使用する、地球上の太陽エネルギーを収集するためのシステムレベルのアーキテクチャを利用する。
【００３６】
現在、多接合太陽電池は、地球上の太陽エネルギーの最も効率的な電力への変換をもたらす。これらの太陽電池は、太陽電池のコレクタの領域で光っていると予測される太陽のスペクトルに対応する。これらの太陽電池のスペクトル反応が太陽のスペクトルに正確に一致しないと、変換効率が低下し、時には劇的に低下することがある。
【００３７】
多接合太陽電池は、電流を生成する電気的材料のいくつかの層から成る。それぞれの個別の太陽電池は「セル」と称される。各「セル」は、電圧および電流を生成する独立したバッテリーとして働き、各「セル」は、スペクトルの照射の特定の範囲だけから電力を生成するように製作される。多接合太陽電池の動作においては、個々のセルのそれぞれによって生成された電圧が足されて、組合せシステムによって生成される合成電圧をもたらす。しかし、組合せシステムによって生成されて、結果として得られる電流は、個々のセルによってもたらされる最低の電流に制限される。例えば、１つを除いてすべてのセル接合が１アンペアの電流を生成し、残りのセル接合が０．５のアンペアの電流を生成する場合、組合せシステムによって生成されて、結果として得られる電流は、０．５アンペアになるはずである。この特徴のために、太陽電池の製造業者は、電流のバランスを可能なかぎり最善に保つことによって組合せシステムの全体効率を最大化するように、予期される利用可能な光のスペクトルに基づいて、各「セル」のスペクトル域のバランスを保つ。
【００３８】
現在産業で使用されている従来型の多接合太陽電池は、バランスがとれたすべての個々の接合で電流が生成される。個々の接合のそれぞれによって生成される電流は、特定のセルが反応を示す光の入力スペクトルに左右される。一般に、太陽エネルギーのコレクタは、光のたった１つの「設計」スペクトルを選択するように設計され、この設計向けに選択された太陽電池のタイプが最適に応答するのは、光のこのスペクトルだけである。しかし、（運用システムの）光のスペクトルは、時間毎、日毎、月毎、および季節毎に変化する。そのため、光のスペクトルにおけるこれらの変化により、光を電気エネルギーに変換することができる太陽電池をたった１つのタイプしか持たないシステムは、最適効率の動作はしないことになる。
【００３９】
開示されるシステム設計により、別々のタイプの太陽電池のいくつかの組を、収集光学系へと共整列させる（容易に再整列させる）ことが可能になる。太陽電池のこれらの組の設計は、太陽光の様々なスペクトルによりよく整合するように、わずかに異なるものであって、多接合太陽電池における個々の接合間の異なったバランスを可能にする。光の利用可能なスペクトルに対して、太陽電池の最も密接に整合した組を選択することにより、より優れた変換効率がいつでも可能になる。
【００４０】
以下の説明では、システムのより十分な説明を提供するために、多数の細部が示される。しかし、開示されたシステムは、これら特定の細部がなくても実施され得ることが当業者には明らかであろう。他の例では、システムを不必要に不明瞭にしないように、周知の特徴は詳細には説明されない。
【００４１】
図１は、本開示の少なくとも１つの実施形態による、光ビーム１２０を太陽電池の特定の組１３０ｅ上に合焦するのに使用される集束要素１１０を有するマルチセンサの太陽光収集システム１００の概略図である。この図では、マルチセンサの太陽光収集システム１００は、別の場所にジンバルで動かされ得る容器１９０を含んで示されている。容器１９０は、集束要素１１０とマルチセンサの太陽電池１４０の複数とを収容して示されている。さらに、容器１９０は、光ビーム１２０を求めて光源１７０を追跡する太陽追跡装置１８０に実装される。
【００４２】
この実施形態では、開示されたマルチセンサの太陽光収集システム１００は、集束要素１１０用にレンズを使用する。しかし、他の実施形態では、システム１００は、集束要素１１０用にレンズ以外の他のタイプの集束要素を使用してよいことに留意されたい。さらに、いくつかの実施形態では、開示されたシステム１００は、複数の集束要素１１０を利用してよい。
【００４３】
システム１００は、マルチセンサの太陽電池１４０の複数も含む。マルチセンサの太陽電池１４０は、別々のタイプの太陽電池の組１３０ａ〜１３０ｉを含む。太陽電池の別々の組１３０ａ〜１３０ｉは、別々のスペクトル反応を有する。例えば、太陽電池の別々の組１３０ａ〜１３０ｉに関する別々のスペクトル反応は、紫外線（ＵＶ）および青色光の吸収性、可視光の吸収性、ならびに赤外線（ＩＲ）光子の吸収性を、異なった相対比で含み得るが、これらに限定されない。
【００４４】
太陽電池１３０ａ〜１３０ｉの組のそれぞれが、１つまたは複数の個々の太陽電池を含む。この図面で、太陽電池の組１３０ａ〜１３０ｉは、平面状の取付け台１５０上に実装して、マトリクス構成で、互いに隣接した配置で示されている。しかし、本開示の他の実施形態では、太陽電池１３０ａ〜１３０ｉの組は、平面状のタイプの取付け台と異なるタイプの取付け台上に実装されてもよいことに留意されたい。また、他の実施形態では、太陽電池の組１３０ａ〜１３０ｉは、配列構成、他のタイプの対称の構成、および他のタイプの非対称の構成を含むがこれらに限定されない他のタイプの構成で配置されてよい。
【００４５】
開示されたマルチセンサの太陽光収集システム１００の動作においては、太陽追跡装置１８０は、光源１７０からの光１６０を追跡する。太陽追跡装置１８０は、集束要素１１０が光源１７０からの光１６０を捕捉するように、容器１９０をジンバルで動かし、現在の光のスペクトルに従って、光ビーム１２０を太陽電池の特定の組１３０ｅ上に合焦する。例えば、現在の光のスペクトルが特定のスペクトル分布であると、集束要素１１０が、そのスペクトル分布に最も密接なスペクトル応答度（すなわち吸収性）を有する太陽電池の特定の組１３０ｅの上に光ビーム１２０を合焦するように、太陽追跡装置１８０が容器１９０をジンバルで動かすことになる。
【００４６】
光のスペクトルが一旦変化すると、集束要素１１０が光の新規のスペクトルに従って光ビーム１２０を太陽電池の別の組１３０ａの上に合焦することができるように、太陽追跡装置１８０が容器１９０をジンバルで動かす。例えば、光のスペクトルが、より高い赤外線相対含量に変化する場合、容器１９０は、集束要素１１０が、赤外線光子に対してより優れた応答（すなわち吸収性）を有する太陽電池の組１３０ａの上に光ビームを合焦するように、ジンバル動作することになる。この実例は図面で示され、図１では、光ビーム１２０の主光線が太陽電池の組１３０ｅ上に合焦され、図２では、光ビーム１２０の主光線が、このとき太陽電池の組１３０ａ上に合焦されることに留意されたい。
【００４７】
図２は、本開示の少なくとも１つの実施形態による、光ビーム１２０を太陽電池の別の組１３０ａ上に合焦するように容器１９０がジンバルで動かされる図１のマルチセンサの太陽光収集システム１００の概略図である。この図面は、光の新規のスペクトルに従って光ビーム１２０を太陽電池の別の組１３０ａの上に集束要素１１０で合焦させるようにジンバルで動かされる容器１９０を具体的に示している。
【００４８】
図３は、本開示の少なくとも１つの実施形態による、図１および図２のマルチセンサの太陽光収集システム１００を制御する方法の流れ図３００である。この方法の開始３１０では、３２０で、太陽電池の複数の別々の組が設けられる。次いで、３３０で、少なくとも１つの集束要素を使用して、光ビームを現在の光の状態に従って太陽電池の第１の組の上に合焦する。３４０で、光の状態が変化したとき、少なくとも１つの集束要素（例えば容器とともにジンバルで動かされるもの）を使用して、光ビームを光の状態の変化に従って太陽電池の第２の組の上に合焦する。３５０で、集束要素が光ビームを太陽電池の第２の組の上に合焦した後、この方法は終了する。
【００４９】
図４は、本開示の少なくとも１つの実施形態による、平面状の可動取付け台４５０上に実装された太陽電池の別々の組４３０ａ〜４３０ｉを有するマルチセンサの太陽光収集システム４００の概略図である。この図では、マルチセンサの太陽電池４４０の複数が、平面状の可動取付け台４５０上に実装して示されている。マルチセンサの太陽電池の複数４４０は、別々のタイプの太陽電池の組４３０ａ〜４３０ｉを含む。太陽電池の別々の組４３０ａ〜４３０ｉは、紫外線（ＵＶ）および青色光の吸収性、可視光の吸収性、ならびに赤外線（ＩＲ）光子の吸収性といった別々のスペクトル反応を多様な吸収比で有するが、これらに限定されない。さらに、マルチセンサの太陽光収集システム４００は、別の場所にジンバルで動かされ得る容器４９０を含んで示されている。容器４９０は、集束要素４１０とマルチセンサの太陽電池４４０の複数とを収容して示されている。さらに、容器４９０は、光ビーム１２０を求めて光源１７０を追跡する太陽追跡装置４８０に実装される。
【００５０】
システム４００の動作においては、太陽追跡装置４８０は、光源１７０からの光１６０を追跡する。太陽追跡装置４８０は、集束要素４１０が光源１７０からの光１６０を捕捉するように、容器４９０をジンバルで動かし、現在の光のスペクトルに従って、光ビーム１２０を太陽電池の特定の組４３０ｅ上に合焦する。光のスペクトルが変化すると、平面状の取付け台４５０は、光ビーム１２０が、光の別のスペクトルに従って集束要素４１０によって太陽電池の別の組４３０ａ〜４３０ｉ上に合焦されるように、合焦された光に対して（集束要素４１０を移動させることなく）移動する。
【００５１】
図５は、本開示の少なくとも１つの実施形態による、光ビーム１２０を太陽電池の別の組４３０ａ〜４３０ｉ上に合焦するように平面状の取付け台４５０が移動される図４のマルチセンサの太陽光収集システム４００の概略図である。具体的には、この図では、平面状の取付け台４５０は、光ビーム１２０が、集束要素４１０によって、ここではマルチセンサの太陽電池４４０の下の右隅に配置された太陽電池の組４３０ｉの上に合焦されるように、上方および左方に移動される（または並進される）ように示されている。
【００５２】
１つまたは複数の実施形態では、平面状の取付け台４５０は、図４および図５に示されるような単に平面的な（または並進移動の）方向の他に、多様な方向に移動され得ることに留意されたい。例えば、平面状の取付け台４５０は、マルチセンサの太陽電池４４０が様々な角度で光ビーム１２０に向かうようにも移動され得る。いくつかの実施形態では、平面状の取付け台４５０は、マルチセンサの太陽電池４４０が、集束要素４１０により近い距離、またはより遠い距離に配置されるような方向に移動され得る。さらに、多様な実施形態向けに、システム４００は、ジンバルで動かされ得る集束要素４１０を利用してよいことに留意されたい。他の実施形態向けに、システム４００は、ジンバルで動かされ得ない（すなわち固定された場所にとどまる）集束要素４１０を利用してよい。さらに、いくつかの実施形態向けに、マルチセンサの太陽光収集システム４００は、複数の集束要素４１０を利用してよいことに留意されたい。
【００５３】
図６は、本開示の少なくとも１つの実施形態による、図４および図５のマルチセンサの太陽光収集システム４００を制御する方法の流れ図６００である。この方法の開始６１０では、６２０で、平面状の取付け台に実装された太陽電池の複数の別々の組が設けられる。次いで、６３０で、現在の光の状態に従って太陽電池の第１の組の上に光ビームを合焦するために、少なくとも１つの集束要素が使用される。６４０で、光の状態が変化した後、現在の光の状態の変化に従って平面状の取付け台を移動して、光ビームを太陽電池の第２の組の上に合焦する。６５０で、太陽電池の第２の組の上に光ビームを合焦するために平面状の取付け台が移動された後に、この方法は終了する。
【００５４】
本明細書には特定の例示的実施形態および方法は開示されているが、開示された技術の真の精神および範囲から逸脱することなく、このような実施形態および方法の変形形態および変更形態が作製され得ることが、前述の開示から当業者には明らかであろう。開示された技術には、それぞれが他のものと細部のみ異なっている、他の多くの実例が存在する。したがって、開示された技術は、添付の特許請求の範囲ならびに適用法の規定および原理によって必要とされる範囲にのみ限定されるように意図されている。
【符号の説明】
【００５５】
１００  太陽光収集システム
１１０  集束要素
１２０  光ビーム
１３０ａ  太陽電池の組
１３０ｂ  太陽電池の組
１３０ｃ  太陽電池の組
１３０ｄ  太陽電池の組
１３０ｅ  太陽電池の組
１３０ｆ  太陽電池の組
１３０ｇ  太陽電池の組
１３０ｈ  太陽電池の組
１３０ｉ  太陽電池の組
１４０  マルチセンサの太陽電池
１５０  平面状の取付け台
１６０  光
１７０  光源
１８０  太陽追跡装置
１９０  容器
４００  太陽光収集システム
４１０  集束要素
４３０ａ  太陽電池の組
４３０ｂ  太陽電池の組
４３０ｃ  太陽電池の組
４３０ｄ  太陽電池の組
４３０ｅ  太陽電池の組
４３０ｆ  太陽電池の組
４３０ｇ  太陽電池の組
４３０ｈ  太陽電池の組
４３０ｉ  太陽電池の組
４４０  マルチセンサの太陽電池
４５０  平面状の取付け台
４８０  太陽追跡装置
４９０  容器
【図１】
2013080928.tif 000003
【図２】
2013080928.tif 000004
【図３】
2013080928.tif 000005
【図４】
2013080928.tif 000006
【図５】
2013080928.tif 000007
【図６】
2013080928.tif 000008
【外国語明細書】
2013080928000001.pdf
2013080928000002.pdf
2013080928000003.pdf
2013080928000004.pdf